(57)【要約】【課題】２つの大入賞口を横並びに近接配置すると共に、各大入賞口を個別に開閉する扉を設け、且つ各扉の開放動作速度、及び閉止動作速度を異ならせて遊技の進行に応じて使い分けることにより遊技内容に多様な変化をもたらす。【解決手段】第１の入賞口２５を開閉する第１の扉２６、第１の扉を開閉する第１の開閉機構２７、及び第１の開閉機構を駆動する第１の駆動源２８を有した第１の扉開閉ユニット２９と、第１の入賞口の側方に隣接配置された第２の入賞口４０を開閉する第２の扉４１、第２の扉を開閉する第２の開閉機構４２、及び第２の開閉機構を駆動する第２の駆動源４３を有した第２の扉開閉ユニット４４と、を備え、第１の扉は、第１の開閉機構の動作とタイムラグなく開閉駆動される構成を備え、第２の扉は、第２の開閉機構の動作との間に所定のタイムラグを有して開放駆動される。【選択図】図４
2010000248.tif 000002
【特許請求の範囲】
【請求項１】
第１の入賞口、前後方向へ回動することにより該第１の入賞口を開閉する第１の扉、該第１の扉を開閉する第１の開閉機構、及び該第１の開閉機構を駆動する第１の駆動源を有した第１の扉開閉ユニットと、
前記第１の入賞口の側方に隣接配置された第２の入賞口、前後方向へ回動することにより該第２の入賞口を開閉する第２の扉、該第２の扉を開閉する第２の開閉機構、及び該第２の開閉機構を駆動する第２の駆動源を有した第２の扉開閉ユニットと、
を備えた大入賞装置であって、
前記第１の扉は、前記第１の開閉機構の動作とタイムラグなく開閉駆動される構成を備え、
前記第２の扉は、前記第２の開閉機構の動作との間に所定のタイムラグを有して開放駆動される構成を備えていることを特徴とする大入賞装置。
【請求項２】
前記第１の扉は、下部に設けた回動軸を中心として前後方向へ回動する第１の扉本体と、該第１の扉本体の一側部から後方へ突出した側板から側方へ突出したピンと、を備え、
前記第１の駆動源は、ソレノイド本体と、該ソレノイド本体から前後方向へ出没するプランジャと、を備えたソレノイドであり、
前記第１の開閉機構は、前記ピンを緊密に且つ移動自在に嵌合する長穴を前部に備え、且つ上下方向へ回動自在に軸支される軸部を後部に有した回動部材を備え、
前記プランジャの出没動作によって前記回動部材を前記軸部を中心として回動させることにより前記長穴内に嵌合された前記ピンを介して前記第１の扉本体を開閉させることを特徴とする請求項１に記載の大入賞装置。
【請求項３】
前記第２の扉は、下部に設けた回動軸を中心として前後方向へ回動する第２の扉本体と、該第２の扉本体の一側部から後方へ突出した側板から側方へ突出したピンと、を備え、
前記第２の駆動源は、ソレノイド本体と、該ソレノイド本体から前後方向へ出没するプランジャと、を備えたソレノイドであり、
前記第２の開閉機構は、前記ピンを非緊密状態で遊嵌する凹部を前部に備え、且つ上下方向へ回動自在に軸支される軸部を後部に有した回動部材を備え、
前記プランジャの出没動作によって前記回動部材を前記軸部を中心として回動させることにより前記凹部内に嵌合された前記ピンを介して前記第２の扉本体を開閉させる構成を備え、
前記ソレノイド本体のオフ時には、前記プランジャが突出方向へ弾性付勢されて前記回動部材の前部を下降させることにより、前記凹部の上部内壁により前記ピンを押し下げて前記扉本体を閉止位置に保持し、
前記ソレノイド本体のオン時には、前記プランジャが後方へ退避して前記回動部材の前部を上昇させることにより前記凹部の下部内壁により前記ピンが初期的に上向きに押圧された後は自重により前記第２の扉本体は開放位置に移動することを特徴とする請求項１、又は２に記載の大入賞装置。
【請求項４】
請求項１乃至３の何れか一項に記載の大入賞装置と、遊技盤と、を備えたことを特徴とする遊技盤ユニット。
【請求項５】
請求項４に記載の遊技盤ユニットを備えたことを特徴とするパチンコ遊技機。
【発明の詳細な説明】
【技術分野】
【０００１】
本発明はパチンコ遊技機を構成する遊技盤面上に配置されて大当たり時に開放する大入賞装置の改良に関する。
【背景技術】
【０００２】
パチンコ遊技機においては、遊技盤の盤面に入賞装置（始動入賞装置、大入賞装置）、風車、図柄表示装置、電飾装置等の各種盤面部品を設けて遊技内容の多様性を図っている。例えば、遊技盤に設けられた始動入賞口に遊技球が入賞するという始動条件の成立によって遊技盤中の図柄表示装置に表示される図柄が変動を開始し、特定の図柄（例えば「７７７」等の三つ揃い図柄）にて停止することで、特別遊技状態である大当り状態に移行するように構成されている。大当たり状態では、大入賞装置の大入賞口を開放状態とし、所定の条件に基づいてこの開放状態を所定回数繰り返すことにより多量の出球を放出する。
【０００３】
ところで、昨今のパチンコ遊技機における大当たり状態には幾つかの種類があり、例えば、一定期間大入賞口が開放状態となるか、もしくは大入賞口に遊技球が規定数入賞されるまでを一回の開放動作（この一回の開放動作を１ラウンドという）としたときに、大当り遊技として１５ラウンド（１５Ｒ）の開放動作を繰り返し、その大当り遊技終了後に特典遊技として確率変動遊技（以下、確変遊技と称する）と時間短縮遊技（以下、時短遊技と称する）の両方を付与した１５Ｒ確変大当り、７ラウンド（７Ｒ）の大当り遊技状態終了後に特典遊技として確変遊技と時短遊技の両方を付与した７Ｒ確変大当りがある。
また、大入賞口の開放時間が、例えば０．４秒と極めて短く且つ大入賞口の開放回数が２回の２ラウンド（２Ｒ）大当り遊技状態終了後に、特典遊技として確変遊技と時短遊技の両方を付与した確変大当りや、２Ｒの大当り遊技状態終了後に特典遊技として時短遊技のみ付与した突時大当りがある。
なお、確変遊技とは、大当り遊技状態の当選確率が通常遊技状態より高い遊技状態（以下、高確率状態ということもある）である。また、時短遊技とは、電動チューリップなどの可動入賞装置の開放パターンを延長して始動条件の成立確率を高めた遊技状態である。
上記した２Ｒ確変大当りは、大入賞口の一回あたりの開放時間が極端に短く設定されているため、大当りによる出球は期待できないものの、大当り終了後には確率変動状態に移行している。このため、あたかも突然確率変動状態に当選したかのような感覚を遊技者に与えることができるため、「突確（突然確率変動）大当り」と呼ばれている。
【０００４】
次に、特許文献１、２には、内部に設けた誘導室と連通する横長の大入賞口と、この大入賞口の下端縁に沿って設けた軸によって上下方向へ軸支されることにより大入賞口を開閉する開閉板と、開閉板を駆動するソレノイドを備えた大入賞装置が開示されている。大当たり状態では開閉板を前方へ傾倒させて大入賞口を開放し、遊技盤面を流下してきた遊技球を開閉板の裏面で受けて後方の誘導室に誘導する。その後、所定の遊技状態に移行した段階で開閉板を閉止する。
しかし、従来の大入賞口は単一の大入賞口に設けた単一の開閉板を開閉動作させるだけの単純な構成であったため、遊技者によって飽きられやすく、この点の改善が強く求められていた。
また、２つの大入賞口を遊技盤面上の異なった位置に離間配置すると共に、各大入賞口に設けた開閉板を個別に開閉するようにした大入賞装置も知られているが、開閉板の開放時間の長短と関係なく各開閉板を開放、閉止する各動作は同一速度で行われていたため、遊技内容の変化に乏しく、遊技者の興趣を著しく低下させる原因となっていた。即ち、通常の遊技状態から突然確率変動状態に移行する場合には、開閉板を出球を伴わずに短時間で開閉動作させる必要があるために開閉動作は迅速に行う必要がある。一方、出球を伴う７Ｒ大当たりや、１５Ｒ大当たり状態にあっては、開閉板の開放動作、及び閉止動作は緩慢であっても差し支えないのにも拘わらず、突然確率変動状態に移行する場合と同様の迅速な開閉速度（例えば、０．４秒）で行われていた。このため、各開閉板の開閉動作が単調となり、変化に乏しい遊技内容となっていた。
【特許文献１】実用新案第３０６３８４５号
【特許文献２】特開２００３−２９９８０４公報
【発明の開示】
【発明が解決しようとする課題】
【０００５】
従来の大入賞口を開閉する開閉板（扉）を有した従来の大入賞装置にあっては、開閉板を備えた大入賞口を２箇所設けた場合であっても、開閉板の開放時間の長短に関係なく各開閉板が同じ速度で開閉動作するため、遊技内容の変化に乏しく、遊技者の興趣を低下させる原因となっていた。
本発明は上記に鑑みてなされたものであり、２つの大入賞口を横並びに近接配置すると共に、各大入賞口を個別に開閉する扉を設け、且つ各扉の開放動作速度、及び閉止動作速度を異ならせて遊技の進行に応じて使い分けることにより遊技内容に多様な変化をもたらすことを可能とした大入賞装置、遊技盤ユニット、及びパチンコ遊技機を提供することを目的としている。
【課題を解決するための手段】
【０００６】
上記目的を達成するため、請求項１の発明に係る大入賞装置は、第１の入賞口、前後方向へ回動することにより該第１の入賞口を開閉する第１の扉、該第１の扉を開閉する第１の開閉機構、及び該第１の開閉機構を駆動する第１の駆動源を有した第１の扉開閉ユニットと、前記第１の入賞口の側方に隣接配置された第２の入賞口、前後方向へ回動することにより該第２の入賞口を開閉する第２の扉、該第２の扉を開閉する第２の開閉機構、及び該第２の開閉機構を駆動する第２の駆動源を有した第２の扉開閉ユニットと、を備えた大入賞装置であって、前記第１の扉は、前記第１の開閉機構の動作とタイムラグなく開閉駆動される構成を備え、前記第２の扉は、前記第２の開閉機構の動作との間に所定のタイムラグを有して開放駆動される構成を備えていることを特徴とする。
２つの入賞口が隣接配置されているため、各入賞口を開閉させる扉が同一の速度にて開閉するとすれば、遊技内容が単調化して興趣を低下させる虞がある。本発明では、各扉の開放時間の長短に応じて各扉の開放動作、閉止動作に要する時間を異ならせることによって遊技内容に変化をもたらすようにしている。
請求項２の発明に係る大入賞装置は、請求項１において、前記第１の扉は、下部に設けた回動軸を中心として前後方向へ回動する第１の扉本体と、該第１の扉本体の一側部から後方へ突出した側板から側方へ突出したピンと、を備え、前記第１の駆動源は、ソレノイド本体と、該ソレノイド本体から前後方向へ出没するプランジャと、を備えたソレノイドであり、前記第１の開閉機構は、前記ピンを緊密に且つ移動自在に嵌合する長穴を前部に備え、且つ上下方向へ回動自在に軸支される軸部を後部に有した回動部材を備え、前記プランジャの出没動作によって前記回動部材を前記軸部を中心として回動させることにより前記長穴内に嵌合された前記ピンを介して前記第１の扉本体を開閉させることを特徴とする。
第１の扉はソレノイドの作動時に第１の開閉機構を介してタイムラグなく駆動されるので、扉の開放時間が短い場合に適している。
【０００７】
請求項３の発明に係る大入賞装置は、請求項１、又は２において、前記第２の扉は、下部に設けた回動軸を中心として前後方向へ回動する第２の扉本体と、該第２の扉本体の一側部から後方へ突出した側板から側方へ突出したピンと、を備え、前記第２の駆動源は、ソレノイド本体と、該ソレノイド本体から前後方向へ出没するプランジャと、を備えたソレノイドであり、前記第２の開閉機構は、前記ピンを非緊密状態で遊嵌する凹部を前部に備え、且つ上下方向へ回動自在に軸支される軸部を後部に有した回動部材を備え、前記プランジャの出没動作によって前記回動部材を前記軸部を中心として回動させることにより前記凹部内に嵌合された前記ピンを介して前記第２の扉本体を開閉させる構成を備え、前記ソレノイド本体のオフ時には、前記プランジャが突出方向へ弾性付勢されて前記回動部材の前部を下降させることにより、前記凹部の上部内壁により前記ピンを押し下げて前記扉本体を閉止位置に保持し、前記ソレノイド本体のオン時には、前記プランジャが後方へ退避して前記回動部材の前部を上昇させることにより前記凹部の下部内壁により前記ピンが初期的に上向きに押圧された後は自重により前記第２の扉本体は開放位置に移動することを特徴とする。
第２の扉はソレノイドの作動時に第２の開閉機構を介して所定のタイムラグを有して駆動されるので、扉の開放時間が長い場合に適している。
請求項４の発明に係る遊技盤ユニットは、請求項１乃至３の何れか一項に記載の大入賞装置と、遊技盤と、を備えたことを特徴とする。
請求項５の発明に係るパチコン遊技機は、請求項４に記載の遊技盤ユニットを備えたことを特徴とする。
【発明の効果】
【０００８】
本発明では、２つの大入賞口を横並びに近接配置すると共に、各大入賞口を個別に開閉する扉を設け、且つ各扉の開放動作速度、及び閉止動作速度を異ならせて遊技の進行に応じて使い分けるようにしたので、遊技内容に多様な変化をもたらすことができる。特に、２つの扉が近接配置されているので、両扉が異なった挙動をすることによって遊技内容に変化をもたらすことが可能となる。
【発明を実施するための最良の形態】
【０００９】
以下、本発明を図面に示した実施の形態により詳細に説明する。
図１は本発明の実施形態に係る大入賞装置を備えたパチンコ遊技機の全体正面図である。
図１に示す本実施形態のパチンコ遊技機１は、矩形形状の枠２を有し、この枠２の窓孔に対して裏側から遊技盤３が着脱可能に取り付けられている。
遊技盤３の前面側には、図示しないガラス枠が開閉可能に取り付けられている。また遊技盤３の下部には遊技球を貯留する受け皿部４と、受け皿部４内の遊技球を発射する発射レバー５等が設けられている。また、受け皿部４の上部には、後述する遊技演出用のチャンスボタンや十字キーなどの操作部１８や、遊技球の購入ボタンや購入取り消しボタンなどが設けられている。
遊技盤３の裏面には、液晶画面、主制御基板とサブ制御基板等、遊技の進行、演出に関わる裏部品を組み付けた合成樹脂製の機構板（何れも図示せず）が開閉自在に装着されている。遊技盤３における遊技領域３ａの周囲には、発射レバー５を操作することにより発射装置から発射された遊技球を遊技領域３ａの上部に案内したり、アウト口１５に案内したりする外レールＲ１、及び内レールＲ２が設けられている。
遊技盤３のほぼ中央部には、中央が開口したセンター部材７が配置される。センター部材７の内部には、図柄表示装置（表示装置）９が配置されている。図柄表示装置９は、例えば、液晶表示装置等の液晶表示パネルによって構成され、通常動作状態の時は、図示しない特別図柄画像が表示される。また、いわゆるリーチ状態や特別遊技状態の時は、それぞれの遊技状態であることを示す演出画像等が表示される。
【００１０】
センター部材７の上部中央に設けられた可動装飾体設置領域７ａには、可動盤面部品である可動装飾体３１が設けられている。可動装飾体３１は、この例では遊技の進行に関与するギミックである黒ひげの顔部と胴体を象ったものである。
センター部材７の下方には、図柄表示装置９の特別図柄を可変表示させるための可変入賞装置１１が設けられている。また、センター部材７の左側には、遊技盤の右下部に配置された普通図柄表示装置１０に表示される普通図柄を作動させるためのゲート１２が設けられている。さらに可変入賞装置１１の下方には、特別遊技状態の一つである大当り状態のときに開放状態になる開閉扉を有する大入賞口１３が設けられている。
可変入賞装置１１は、図柄表示装置９を可変表示させるための上始動ポケット１４と、左右一対の開閉爪（可動片）を有する電動式チューリップとを備えて構成される。
遊技盤３には普通入賞口１６やアウト口１５等が設けられていると共に、風車や図示しない多数の遊技釘が突設されている。遊技釘は、遊技球の落下速度を遅くすると共に、落下方向を複雑に変化させて遊技進行上の興趣を高めている。
【００１１】
図柄表示装置９に表示される特別図柄は、停止図柄が予め定められた図柄の組合せ、例えば同一図柄の組合せとなった場合に大当り状態となるように構成されている。また特別図柄は、可変入賞装置１１の上始動ポケット１４又は電動式チューリップの開放動作により遊技球が誘導される下始動口（図示していない）への遊技球の入賞を検出することを条件に乱数制御等により表示がスクロールする等、所定の変動パターンで所定時間変動（可変）して図柄で停止するようになっている。その際、有効ライン上に２個の停止図柄が同一となった場合に、リーチ状態が発生し、このリーチ状態において、有効ライン上の最後の停止図柄が既に停止している２個の図柄と同一となった場合に大当り状態が発生する。なお、特別図柄としては、数字図柄、アルファベット図柄、キャラクター図柄等が使用可能である。
本発明の特徴的な構成は、可変入賞装置１１の下方に配置された大入賞口１３を含んだ大入賞装置２０にある。
【００１２】
図２、図３、図４、及び図５は、本発明の大入賞装置２０の構成を示す正面図、斜視図、天板を除去した内部構成を示す斜視図、及び分解斜視図である。
大入賞装置２０は、遊技盤面に設けた大入賞装置装着孔内に嵌合される略直方体状の装置本体２１と、装置本体２１の前部に固定された化粧板２２と、を備えている。装置本体２１を大入賞装置装着孔内に前方から嵌合して化粧板２２を遊技盤面にネジ止めすることにより大入賞装置２０は組み付けられる。
装置本体２１の前面には、横並びに隣接配置された第１の入賞口２５及び第２の入賞口４０と、第１及び第２の入賞口２５、４０を夫々独立別個に開閉するために下端部を軸支された第１の扉２６、及び第２の扉４１が配置されている。
装置本体２１の前面に配置された第１及び第２の扉２６、４１は、化粧板２２の前面に設けた長方形状の開口２２ａから露出している。
第１の入賞口２５と、前後方向へ回動することにより第１の入賞口２５を開閉する第１の扉２６と、第１の扉２６を開閉する第１の開閉機構２７と、第１の開閉機構２７を駆動する第１の駆動源２８は、第１の扉開閉ユニット２９を構成している。
第１の入賞口２５の側方に隣接配置された第２の入賞口４０と、前後方向へ回動することにより第２の入賞口４０を開閉する第２の扉４１と、第２の扉４１を開閉する第２の開閉機構４２と、第２の開閉機構４２を駆動する第２の駆動源４３は、第２の扉開閉ユニット４４を構成している。
【００１３】
図５の分解斜視図に示すように、第１の扉開閉ユニット２９と、第２の扉開閉ユニット４４は、下側のベース部材５０に組み付けられると共に、上側のカバー部材６０によって覆われている。ベース部材５０上には、第１の扉開閉ユニット２９、及び第２の扉開閉ユニット４４の他に、電源供給基板５１、各入賞口２５、４０に入った遊技球の通過を夫々検知してカウントするための右カウントスイッチ５２及び左カウントスイッチ５３、各扉の開閉を検知する磁気センサ５４等が配置されている。
第１の扉開閉ユニット２９は、第１の扉２６を第１の開閉機構２７の動作とタイムラグなく開閉駆動（直動）させる構成を備えており、第２の扉開閉ユニット４４は、第２の扉４１を第２の開閉機構４２の動作との間に所定のタイムラグを有して開閉駆動させる構成を備えている。
このため、例えば２Ｒの大当たり遊技状態発生時には第１の扉２６を素早い動作により短い開放時間だけ開放させてから素早く閉止する一方で、７Ｒ、或いは１５Ｒの大当たり遊技状態発生時には第２の扉４１を緩慢な動作で開放させて長い時間開放し続け、閉止時にも緩慢な動作により閉止させることができる。従って、隣接配置した２つの扉２６、４１の開閉動作パターンを異ならせて対照的な印象を与え、遊技進行上の重要な変化をもたらすことができる。
【００１４】
上記の如き動作を実現するために本発明に係る第１の扉開閉ユニット２９と、第２の扉開閉ユニット４４は、次の如き構成を備える。
まず、第１の扉開閉ユニット２９を構成する第１の扉２６は、下部に設けた回動軸２６ｂを中心として前後方向へ回動する第１の扉本体２６ａと、第１の扉本体２６ａの一側部から後方へ突出した側板２６ｃから側方へ突出したピン２６ｄと、を備えている。回動軸２６ｂはベース部材５０に設けた軸支部により軸支されている。第１の駆動源２８は、ソレノイド本体２８ｂと、ソレノイド本体２８ｂから前後方向へ出没するプランジャ２８ｃと、プランジャに一体化されたスライダ２８ｃ｀と、プランジャ２８ｃを突出方向へ付勢するコイルバネ２８ｄを備えたソレノイド２８ａである。ソレノイド２８ａは、図示しない制御手段からの制御信号によってオン、オフ制御され、オン時にはコイルバネ２８ｄに抗してプランジャ２８ｃを後方へ引っ込ませる。
第１の開閉機構２７は、ピン２６ｄを緊密に且つ移動自在に嵌合する長穴２７ｂを前部に備え、且つ上下方向へ回動自在に軸支される軸部２７ｃを後部に有した回動部材２７ａを備えている。軸部２７ｃは、ベース部材５０に設けた軸支部により軸支されている。プランジャ２８ｃに一体化したスライダ２８ｃ｀に設けたピン２８ｅを回動部材２７ａに設けた切欠き２７ｄ内に嵌合することにより、プランジャ２８ｃの出没による前後方向への駆動力が切欠き２７ｄを介して回動部材２７ａに伝達されて、軸部２７ｃを中心として回動部材を回動させる。ソレノイド２８ａのオンオフに伴うプランジャ２８ｃ（スライダ２８ｃ｀）の出没動作によって回動部材２７ａを軸部２７ｃを中心として回動させることにより、長穴２７ｂ内に嵌合されたピン２６ｄを介して第１の扉本体２６ａを開閉させる。
【００１５】
図６、及び図７は第１の扉開閉ユニット２９の閉止状態及び開放状態を夫々示す斜視図であり、第１の扉２６に設けたピン２６ｄは、回動部材２７ａに設けた長穴２７ｂ内にほぼ緊密に嵌合しつつ長穴に沿って進退自在に構成されているため、回動部材２７ａの回動時における第１の扉本体２６ａの動作は、回動部材２７ａの動作との間にタイムラグがほとんどなく、素早い開閉動作となる。つまり、第１の扉２６の開放動作、及び開閉動作は、全般に渡ってソレノイドからの駆動力に依存しており、自重による緩慢な動作によって開放する余地がない。なお、ここで「ほぼ緊密に嵌合」するとは、ピン外周と長穴２７ｂ内壁とが常時接触している状態を必ずしも意味せず、多少の余裕をもってピンが長穴内に嵌合している状態を含むものである。
図８及び図９は第２の扉開閉ユニット４４の閉止状態及び開放状態を夫々示す斜視図であり、第２の扉４１は下部に設けた回動軸４１ｂを中心として前後方向へ回動する第２の扉本体４１ａと、第２の扉本体４１ａの一側部から後方へ突出した側板４１ｃから側方へ突出したピン４１ｄと、を備えている。回動軸４１ｂはベース部材５０に設けた軸支部によって軸支されている。第２の駆動源４３は、ソレノイド本体４３ｂと、ソレノイド本体４３ｂから前後方向へ出没するプランジャ４３ｃと、プランジャ４３ｃを突出方向へ付勢するコイルバネ４３ｄを備えたソレノイド４３ａである。ソレノイド４３ａは、図示しない制御手段からの制御信号によってオン、オフ制御され、オン時にはコイルバネ４３ｄに抗してプランジャ４３ｃを後方へ引っ込ませる。
【００１６】
第２の開閉機構４２は、ピン４１ｄを非緊密状態で遊嵌する凹部４２ｂを前部に備え、且つ上下方向へ回動自在に軸支する軸部４２ｃを後部に有した回動部材４２ａを備えている。軸部４２ｃはベース部材５０に設けた軸支部により軸支されている。プランジャ４３ｃに一体化したスライダ４３ｃ｀に設けたピン４３ｅを回動部材４２ａに設けた切欠き４２ｄ内に嵌合することにより、プランジャ４３ｃの出没による前後方向への駆動力が切欠き４２ｄを介して回動部材４２ａに伝達されて、軸部４２ｃを中心として回動部材を回動させる。ソレノイド４３ａのオンオフに伴うプランジャ４３ｃの出没動作によって回動部材４２ａを軸部４１ｂを中心として回動させることにより凹部４２ｂ内に嵌合されたピン４１ｄを介して第２の扉本体４１ａを開閉させる構成を備えている。
凹部４２ｂの開口径はピン４１ｄの直径よりも大幅に大きく構成されているために、回動部材４２ａが回動した時の駆動力は、凹部４２ｂ内のピン４１ｄに対して直ちには伝達されず、回動部材の回動動作とピンの動作との間にはタイムラグがある。
即ち、図８に示したソレノイド本体のオフ時には、プランジャが突出方向へ弾性付勢されて回動部材４２ａの前部を下降させることにより、凹部４２ｂの上部内壁４２ｂ−１によりピン４１ｄが押し下げられて扉本体４１ａを閉止位置に保持している。
【００１７】
ソレノイド本体がオンすることにより、第２の扉は図８の閉止状態から図９の開放状態に移行するが、プランジャ４３ｃが後方へ退避して回動部材４２ａの前部を上昇させたとしてもピン４１ｄに対して扉開放方向への駆動力は直ちには伝達されない。即ち、凹部の上部内壁４２ｂ−１と下部内壁４２ｂ−２との間には所要幅のギャップがあるため、ピン４１ｄがこのギャップ内を相対的に通過するのに要する時間だけピン４１ｄに対して駆動力は伝達されず、第２の扉本体４１ａは凹部４２ｂの下部内壁４２ｂ−２がピン４１ｄと接してこれを上方に押圧するまでは閉止状態を維持している。その後、凹部の下部内壁４２ｂ−２によってピン４１ｄが初期的に上向きに押圧された後は自重により第２の扉本体４１ａは開放位置に移動する。即ち、凹部の下部内壁は第２の扉本体４１ａが図９に示した完全な開放状態に移行するまで継続してピンを押し続けるのではなく、ピン４１ｄを初期的に押圧して第２の扉本体が開放する契機を与えるに過ぎない。第２の扉本体４１ａは、凹部の下部内壁４２ｂ−２によってピン４１ｄを押圧されてバランスを崩された時点以降に自重により完全な開放位置まで達する。なお、本例では、第２の扉本体４１の完全な開放位置は、図９に示したようにピン４１ｄが凹部の上部内壁４２ｂ−１に当接することにより維持されている。
【００１８】
従って、回動部材４２ａの上方への回動動作は直ちにピン４１ｄに伝達される訳ではなく、ピン４１ｄが相対的に凹部４２ｂのギャップ内を通過するのに要する時間だけのタイムラグを経て伝達開始され、ピンが上方に押圧された直後に第２の扉は自重により開放する。
第２の扉本体４１を閉じる際には、開放時とは逆にソレノイド本体をオフすることによりコイルスプリング４３ｄの付勢力によってプランジャ４３ｃが突出するので、回動部材は図９の姿勢から図８の姿勢に移行する。図９の状態ではピン４１ｄが凹部の上部内壁により完全な開放姿勢を維持しているが、回動部材４２ａの前部が図８の下降状態に移行する過程で凹部の上部内壁４２ｂ−１によりピン４１ｄが押し下げられて閉止状態に移行する。
このように本発明によれば、例えば扉の開放時間が短い大当たり遊技状態発生時には第１の扉２６を素早い動作により短い開放時間だけ開放させてから素早く閉止する一方で、扉の開放時間が長い大当たり遊技状態発生時には第２の扉４１を緩慢な動作で開放させて長い時間開放し続け、閉止時にも緩慢な動作により閉止させることができる。従って、隣接配置した２つの扉２６、４１の開閉動作パターンを異ならせて対照的な印象を与え、遊技進行上の重要な変化をもたらすことができる。
【００１９】
特に、本発明においては２つの入賞口が隣接配置されているため、各入賞口を開閉させる扉が同一の速度にて開閉するとすれば、遊技内容が単調化して興趣を低下させる虞がある。本発明では、各扉の開放時間の長短に応じて各扉の開放動作、閉止動作に要する時間を異ならせることによって遊技内容に変化をもたらすようにしている。
なお、本例では、第１の扉２６と第２の扉４１の各内側の回動軸は一本の共通の回動軸２６ｂを使用しているが、一方の扉の開閉動作に他方の扉が連れられて開閉動作することを防止するために、別個の軸部材としてもよい。即ち、図１０では第１の扉２６は専用の内側回動軸２６ｂにより軸支する一方で、第２の扉４１は専用の内側回動軸４１ｅにより軸支している。このため、一方の扉の開閉動作に他方の扉が連れられて動作することが無くなり、各扉の動作を独立別個のものとすることができる。
本発明の大入賞装置は、遊技盤に組み付けることにより遊技盤ユニットを構築することができる。また、この遊技盤ユニットをパチンコ遊技機に組み込むことにより、大当たり遊技状態の種類に応じて変化のある扉開閉動作を実現することができる。
【図面の簡単な説明】
【００２０】
【図１】本発明の実施形態に係る大入賞装置を備えたパチンコ遊技機の全体正面図である。
【図２】本発明の大入賞装置の構成を示す正面図である。
【図３】本発明の大入賞装置の構成を示す斜視図である。
【図４】本発明の大入賞装置の構成を示す天板を除去した内部構成を示す斜視図である。
【図５】本発明の大入賞装置の構成を示す分解斜視図である。
【図６】第１の扉開閉ユニットの構成及び動作説明図である（ソレノイドオフ時）。
【図７】第１の扉開閉ユニットの構成及び動作説明図である（ソレノイドオン時）。
【図８】第２の扉開閉ユニットの構成及び動作説明図である（ソレノイドオフ時）。
【図９】第２の扉開閉ユニットの構成及び動作説明図である（ソレノイドオン時）。
【図１０】本発明の他の実施形態を説明するための正面図である。
【符号の説明】
【００２１】
１…パチンコ遊技機、３…遊技盤、３ａ…遊技領域、４…皿部、７…センター部材、７ａ…可動装飾体設置領域、１０…普通図柄表示装置、１１…可変入賞装置、１２…ゲート、１３…大入賞口、１４…上始動ポケット、１５…アウト口、１６…普通入賞口、１８…操作部、２０…大入賞装置、２１…装置本体、２２…化粧板、２２ａ…開口、２５…第１の入賞口、２６…第１の扉、２６ａ…第１の扉本体、２６ｂ…回動軸、２６ｃ…側板、２６ｄ…ピン、２６ｅ…アーム、２７…第１の開閉機構、２７ａ…回動部材、２７ｂ…長穴、２７ｃ…軸部、２８…第１の駆動源、２８ａ…ソレノイド、２８ｂ…ソレノイド本体、２８ｃ…プランジャ、２８ｃ｀…スライダ、２８ｄ…コイルバネ、２８ｅ…ピン、２９…第１の扉開閉ユニット、３１…可動装飾体、４０…第２の入賞口、４１…第２の扉、４１ａ…第２の扉本体、４１ｂ…回動軸、４１ｂ…軸部、４１ｃ…側板、４１ｄ…ピン、４２…第２の開閉機構、４２ａ…回動部材、４２ｂ…凹部、４２ｂ−１…上部内壁、４２ｂ−２…下部内壁、４２ｃ…軸部、４３…第２の駆動源、４３ａ…ソレノイド、４３ｂ…ソレノイド本体、４３ｃ…プランジャ、４３ｃ｀…スライダ、４３ｄ…コイルスプリング、４３ｄ…コイルバネ、４３ｅ…ピン、４４…第２の扉開閉ユニット、５０…ベース部材、５１…電源供給基板、５２…右カウントスイッチ、５３…左カウントスイッチ、５４…磁気センサ、５５ａ…磁石、６０…カバー部材
【図１】
2010000248.tif 000003
【図２】
2010000248.tif 000004
【図３】
2010000248.tif 000005
【図４】
2010000248.tif 000006
【図５】
2010000248.tif 000007
【図６】
2010000248.tif 000008
【図７】
2010000248.tif 000009
【図８】
2010000248.tif 000010
【図９】
2010000248.tif 000011
【図１０】
2010000248.tif 000012